(57)【要約】【課題】フタ付き容器のフタを押し上げるための、ゴムの捻りによる弾性復元力を用いたバネ構造において、構造が簡単で、容器、もしくはフタに固定するための制約が少ない、トーションバネユニットを提供することを課題とする。【解決手段】フタ付き容器のフタ、もしくは容器本体に取り付け可能なトーションバネユニットであって、該トーションバネユニットは、多角柱形状のゴムバネ、およびゴムバネ中央部に固定されて弾性復元力伝達アームを有する動力伝達部、およびゴムバネの両端を固定する保持部とから構成され、該弾性復元力伝達アームを回転させた反発力で動力を得ることを特徴とする、トーションバネユニットである。【選択図】図１
2018122871.tif 000002
【特許請求の範囲】
【請求項１】
フタ付き容器のフタ、もしくは容器本体に取り付け可能なトーションバネユニットであって、
該トーションバネユニットは、多角柱形状のゴムバネ、およびゴムバネ中央部に固定されて弾性復元力伝達アームを有する動力伝達部、およびゴムバネの両端を固定する保持部とから構成され、
該弾性復元力伝達アームを回転させた反発力で動力を得ることを特徴とする、トーションバネユニット。
【請求項２】
前記多角柱が、四角柱であることを特徴とする、請求項１に記載のトーションバネユニット。
【発明の詳細な説明】
【技術分野】
【０００１】
本発明は、フタ付き容器のフタを押し上げることのできる、バネユニットに関するものである。とくにゴムの捻れを利用したフタ付き容器用の、トーションバネユニットに関するものである。
【背景技術】
【０００２】
フタ付き容器は、企業活動や日常生活に必要な様々な用途に用いられている。とくに内容物を繰り返し、あるいは小出しにして取り出す場合などには、フタ付き容器が用いられることが多い。
【０００３】
またフタの開閉も、ロック機構を開放するだけで、自動的にフタが開く構造のものは、内容物を片手の操作のみで取り出せるなど、その利便性ゆえに、たとえばウエットティッシュなどの容器にも多く用いられている。
【０００４】
自動的にフタが開く機構を実現するために、特許文献１には、トーションバーすなわち弾性部材のバーを用いて、その捻れの復元力を用いてフタが開く機構を提案しているが、フタの一辺全体におよぶ大きな部材を用いるために、バネユニットとして大きなものとなり、またその構造にも制約があるなど、実用上の問題が指摘されている。
【０００５】
また特許文献２には、バネユニットの弾性復元力を発生させるために、ゴム製の弾性板を用いる提案がなされているが、この場合にも部材が大きく、バネユニットとして大きなものとなり、またその構造にも制約があることに変わりはない。
【０００６】
また、ゴム製の弾性板を折り曲げて弾性復元力を得ようとする場合には、弾性板の変形やひび割れといった問題が起きるおそれがある。とくにゴムの厚みが厚い場合には切れが発生したり、容器本体へ力がかかり変形を起こす恐れもある。
【０００７】
他にも、金属製のバネを用いることも考えられるが、たとえば製造や充填工程において、金属探知機による異物等の検査が行なわれる場合には、使用が困難であるという問題がある。
【先行技術文献】
【特許文献】
【０００８】
【特許文献１】特開平１１−１９３０４４号公報
【特許文献２】特開２００２−３２６６４７号公報
【発明の概要】
【発明が解決しようとする課題】
【０００９】
本発明はかかる状況に鑑みてなされたものであり、フタ付き容器のフタを押し上げるための、ゴムの捻りによる弾性復元力を用いたバネ構造において、構造が簡単で、容器、もしくはフタに固定するための制約が少ない、トーションバネユニットを提供することを課題とする。
【課題を解決するための手段】
【００１０】
上記の課題を解決するための手段として、請求項１に記載の発明は、フタ付き容器のフタ、もしくは容器本体に取り付け可能なトーションバネユニットであって、
該トーションバネユニットは、多角柱形状のゴムバネ、およびゴムバネ中央部に固定され
て弾性復元力伝達アームを有する動力伝達部、およびゴムバネの両端を固定する保持部とから構成され、
該弾性復元力伝達アームを回転させた反発力で動力を得ることを特徴とする、トーションバネユニットである。
【００１１】
また請求項２に記載の発明は、前記多角柱が、四角柱であることを特徴とする、請求項１に記載のトーションバネユニットである。
【発明の効果】
【００１２】
本発明によれば、フタ付き容器のフタを押し上げるための、ゴムの捻りによる弾性復元力を用いたバネ構造において、構造が簡単で、容器、もしくはフタに固定するための制約が少ない、トーションバネユニットを提供することが可能である。
【図面の簡単な説明】
【００１３】
【図１】図１は、本発明に係るトーションバネユニットを構成するゴムバネの一実施態様を説明するための、斜視模式図である。
【図２】図２は、本発明に係るトーションバネユニットを構成する動力伝達部の一実施態様を説明するための、斜視模式図である。
【図３】図３は、本発明に係るトーションバネユニットを構成する保持部の一実施態様を説明するための、斜視模式図である。
【図４】図４は、本発明に係るトーションバネユニットの一実施態様を説明するための、平面模式図である。
【図５】図５は、本発明に係るトーションバネユニットの一実施態様を、フタ付き容器に取り付けた一例を説明するための、断面模式図である。
【発明を実施するための形態】
【００１４】
以下、本発明を図１〜図５を参照しながら、更に詳しい説明を加える。ただし本発明は、ここに示す例にのみ限定されるものではない。本発明は、請求項によって限定されるものである。
【００１５】
図１は、本発明に係るトーションバネユニットを構成するゴムバネの一実施態様を説明するための、斜視模式図である。ここに示す例において、ゴムバネは四角柱の形状である。
【００１６】
本発明において、トーションバネユニットを構成する要素のひとつである、ゴムバネ（１）は多角柱形状である。ゴムバネ（１）が多角柱形状であることによって、本発明を構成する他の要素である、動力伝達部、および保持部との組立が容易であり、またゴムバネ（１）に捻りの力を加えたときに、滑ったり外れたりすることを防止することが可能である。
【００１７】
ゴムバネの材質については、特に制限を加えるものではなく、ゴム弾性を有する、たとえば各種ゴム材質のほか、弾性を有する高分子材料を用いることもできる。
【００１８】
図２は、本発明に係るトーションバネユニットを構成する動力伝達部の一実施態様を説明するための、斜視模式図である。ここに示す例において、ゴムバネは四角柱の形状である。
【００１９】
本発明において、トーションバネユニットを構成する要素のひとつである、動力伝達部（２）は、ゴムバネ（１）を穴（４）を通して組み合わせて、ゴムバネ（１）中央部に固定される。
【００２０】
穴（４）は、その開口部がゴムバネの多角形の断面に合致した形状であり、あるいはゴムバネとの（１）組立、および固定が確実に行なわれる形状の範囲であればよい。
【００２１】
また、動力伝達部（２）は、穴（４）を設ける部分のほか、弾性復元力伝達アーム（３）を有しており、ゴムバネ（１）の捻じれを、たとえば容器のフタに伝えて、その開閉を行なう。たとえば、フタを開ける際には、容器本体とフタとのヒンジ部に位置して、フタを内側から押上げて、開くことができる。
【００２２】
動力伝達部（２）の材質については、特に限定を加えるものではなく、フタへの弾性復元力伝達に耐える剛性を有していれば良い。たとえばプラスチックの成型品を用いるのでもかまわない。プラスチックの成形品を用いる場合には、形状に自由度が得られ、また価格面においても有利である。
【００２３】
図３は、本発明に係るトーションバネユニットを構成する保持部の一実施態様を説明するための、斜視模式図である。ここに示す例において、ゴムバネは四角柱形状のものとする。
【００２４】
本発明において、トーションバネユニットを構成する要素のひとつである、保持部（５）はゴムバネ（１）を両端から固定することができる。ゴムバネ（１）が四角柱形状であるから、図に示す例では、保持部（５）の両端も、四角柱の両端部に合致した形状に凹み（６）を有し、固定を確実にすることができる。
【００２５】
保持部（３）の材質については、特に限定を加えるものではなく、ゴムバネの固定を確実にして、フタへの弾性復元力伝達に耐える剛性を有していれば良い。たとえばプラスチックの成型品を用いるのでもかまわない。プラスチックの成形品を用いる場合には、形状に自由度が得られ、また価格面においても有利である。
【００２６】
また容器本体に嵌め合わせるなどの方法で取り付ける場合には、保持部（５）に嵌め合わせのための、凹みや突起を設けておくことができる。
【００２７】
図４は、本発明に係るトーションバネユニットの一実施態様を説明するための、平面模式図である。
【００２８】
前述のように、本発明によるトーションバネユニット（１０）は、四角柱形状のゴムバネ（１）、およびゴムバネ（１）の中央部に固定されて弾性復元力伝達アーム（３）を有する動力伝達部（２）、およびゴムバネ（１）の両端を固定する保持部（５）とから構成される。
【００２９】
図４は、それらの要素を組み立てて、トーションバネユニット（１０）としたものを上から見た平面模式図である。ここに示す例において、ゴムバネは四角柱形状のものとする。
【００３０】
図２に示す例においては、動力伝達部（２）は、四角柱形状のゴムバネ（１）の中央部に固定され、弾性復元力伝達アーム（３）は、図４において上方に位置している。また四角柱形状のゴムバネ（１）は、その両端を保持部（５）によって固定されている。
【００３１】
トーションバネユニット（１０）において、動力伝達部（２）は、矢印（７）の方向に弾性復元力伝達アーム（３）を回転させることができ、このとき四角柱形状のゴムバネ（１）は捻じれて反発力を蓄えることができる。すなわちトーションバネユニット（１０）はゴムバネ（１）の反発力で動力を得ることができる。
【００３２】
たとえば、トーションバネユニット（１０）を、容器の本体とフタのヒンジ部に取り付ける場合には、この反発力による動力を容器のフタに伝えて、フタを押上げて開くことができる。
【００３３】
この反発力による動力の大きさは、ゴムバネ（１）の形状、材質、大きさなどを適宜対応させることにより、変更することが可能である。
【００３４】
このように、本発明によるトーションバネユニット（１０）は構造が簡単で、組立も容易である。したがって、フタ付き容器等への取り付けも、容易なものとすることができる。
【００３５】
図５は、本発明に係るトーションバネユニットの一実施態様を、フタ付き容器に取り付けた一例を説明するための、断面模式図である。ここに示す例において、図には明示されていないが、ゴムバネは四角柱形状のものとする。
【００３６】
ここに示す例では、フタ付き容器（１００）は、容器本体（２１）、およびフタ（２２）が、ヒンジ部（２３）を介して連続している。
【００３７】
容器本体（２１）には内容物（２６）が収納されている。フタ（２２）が開いた状態においては、取り出し口（２８）が露出するために、内容物（２６）を手指などを用いて取り出すことができる。
【００３８】
本発明によるトーションバネユニット（１０）は、ヒンジ部（２３）の内側に設置されている。取り付けは、接着剤などによって接着させる方法のほか、たとえば容器本体（２１）と嵌め合わせる形で取り付けることもできる。あるいはフタ（２２）の側に取り付けることも可能である。
【００３９】
トーションバネユニット（１０）の取り付け個数は、１以上複数であってもよく、容器の形状や大きさ、目的、またフタの重量などを勘案して、適宜決定すればよい。
【００４０】
フタ付き容器（１００）のフタ（２２）は、当初は閉じられており、ロック機構（２７）によって閉じた状態が維持される。ロック機構（２７）は、その形状や方式には制限を設けるものではなく、容器の形状や目的、あるいは意匠性を勘案した上、トーションバネユニット（１０）を用いる際に、容器のフタが閉じた状態を維持することが可能であればよい。
【００４１】
フタ（２２）を閉じた状態において、トーションバネユニット（１０）は、弾性復元力伝達アーム（３）が回転した状態であり、四角柱形状のゴムバネ（１）が捻じれて反発力を蓄えている状態である。
【００４２】
ロック機構（２７）を開放することによって、トーションバネユニット（１０）はゴムバネ（１）の反発力で動力を得ることができ、弾性復元力伝達アーム（３）は、図中破線で示す位置から、矢印（２４）の方向に動くことができるために、フタ（２２）を押し上げて、フタ付き容器（１００）を開けることができる。
【００４３】
また再びフタ（２２）を閉じるときには、手指でフタ（２２）を上方から押さえて、ロック機構（２７）を作動させればよい。このとき、トーションバネユニット（１０）は、弾性復元力伝達アーム（３）が回転した状態となり、四角柱形状のゴムバネ（１）が捻じれて反発力を蓄えることができる。こうして、矢印（２５）のように、フタ（２２）は開閉を繰り返すことができる。
【００４４】
このように、本発明によれば、フタ付き容器のフタを押し上げるための、ゴムの捻りによる弾性復元力を用いたバネ構造において、構造が簡単で、容器、もしくはフタに固定するための制約が少ない、トーションバネユニットを提供することが可能である。
【符号の説明】
【００４５】
１・・・ゴムバネ
２・・・動力伝達部
３・・・弾性復元力伝達アーム
４・・・穴
５・・・保持部
６・・・凹み
７・・・矢印
１０・・・トーションバネユニット
２１・・・容器本体
２２・・・フタ
２３・・・ヒンジ部
２４・・・矢印
２５・・・矢印
２６・・・内容物
２７・・・ロック機構
２８・・・取り出し口
１００・・・フタ付き容器
【図１】
2018122871.tif 000003
【図２】
2018122871.tif 000004
【図３】
2018122871.tif 000005
【図４】
2018122871.tif 000006
【図５】
2018122871.tif 000007